(57)【特許請求の範囲】
【請求項１】
追い焚き機能を有する給湯装置に接続された往き配管および戻り配管の各々と接続されて、浴槽内に湯水を循環させるための循環アダプタであって、
互いに仕切られた湯水の吸込用開口部と吐出用開口部とを有し、前記吸込用開口部と前記吐出用開口部との間に位置する支持部を有する仕切部材と、
前記吸込用開口部に配置された第１の逆止弁と、前記吐出用開口部に配置された第２の逆止弁とを有する弁体とを備え、
前記弁体は、前記第１の逆止弁と前記第２の逆止弁とが一体に繋がったシート形状を有し、かつ前記弁体の外形から前記第１の逆止弁と前記第２の逆止弁との接合部まで前記第１の逆止弁と前記第２の逆止弁との間を延びる切欠き部を有し、かつ前記切欠き部に前記支持部が差し込まれることで前記仕切部材に支持されており、
前記吸込用開口部は、互いに仕切られた第１の吸込用開口と第２の吸込用開口とを含み、
前記吐出用開口部は、互いに仕切られた第１の吐出用開口と第２の吐出用開口とを含み、
前記第１の吸込用開口および前記第１の吐出用開口が前記往き配管および前記戻り配管のいずれか一方の配管に通じており、かつ前記第２の吸込用開口および前記第２の吐出用開口が前記往き配管および前記戻り配管のいずれか他方の配管に通じており、
前記支持部は、前記第１の吸込用開口および前記第１の吐出用開口の間に位置する第１の支持部分と、前記第２の吸込用開口および前記第２の吐出用開口の間に位置する第２の支持部分と、前記第１の吸込用開口および前記第２の吸込用開口の間に位置する第３の支持部分と、前記第１の吐出用開口および前記第２の吐出用開口の間に位置する第４の支持部分とを含み、
前記第１の支持部分、前記第２の支持部分、前記第３の支持部分および前記第４の支持部分は、互いに分離して放射状に配置されており、
前記第１の逆止弁は、前記第１の吸込用開口に配置された第１の逆止弁部分と、前記第２の吸込用開口に配置された第２の逆止弁部分とを含み、かつ前記第２の逆止弁は、前記第１の吐出用開口に配置された第３の逆止弁部分と、前記第２の吐出用開口に配置された第４の逆止弁部分とを含み、
前記第１の逆止弁部分、前記第２の逆止弁部分、前記第３の逆止弁部分および前記第４の逆止弁部分は、前記放射状の中心において互いに接続されている、循環アダプタ。
【請求項２】
追い焚き機能を有する給湯装置に接続された往き配管および戻り配管の各々と接続されて、浴槽内に湯水を循環させるための循環アダプタであって、
互いに仕切られた湯水の吸込用開口部と吐出用開口部とを有し、前記吸込用開口部と前記吐出用開口部との間に位置する支持部を有する仕切部材と、
前記吸込用開口部に配置された第１の逆止弁と、前記吐出用開口部に配置された第２の逆止弁とを有する弁体とを備え、
前記弁体は、前記第１の逆止弁と前記第２の逆止弁とが一体に繋がったシート形状を有し、かつ前記弁体の外形から前記第１の逆止弁と前記第２の逆止弁との接合部まで前記第１の逆止弁と前記第２の逆止弁との間を延びる切欠き部を有し、かつ前記切欠き部に前記支持部が差し込まれることで前記仕切部材に支持されており、
前記切欠き部は、第１の部分と、前記第１の部分よりも前記接合部から離れた位置に配された第２の部分とを有し、
前記第２の部分の幅は前記第１の部分の幅よりも大きい、循環アダプタ。
【請求項３】
前記吸込用開口部は、互いに仕切られた第１の吸込用開口と第２の吸込用開口とを含み、
前記吐出用開口部は、互いに仕切られた第１の吐出用開口と第２の吐出用開口とを含み、
前記第１の吸込用開口および前記第１の吐出用開口が前記往き配管および前記戻り配管のいずれか一方の配管に通じており、かつ前記第２の吸込用開口および前記第２の吐出用開口が前記往き配管および前記戻り配管のいずれか他方の配管に通じている、請求項２に記載の循環アダプタ。
【請求項４】
前記切欠き部は、第１の部分と、前記第１の部分よりも前記接合部から離れた位置に配された第２の部分とを有し、
前記第２の部分の幅は前記第１の部分の幅よりも大きい、請求項１に記載の循環アダプタ。
【請求項５】
前記第１の逆止弁に対して湯水の吸込側に位置し、かつ前記第１の逆止弁を支持する弁支持部をさらに備え、
前記弁支持部の前記第１の逆止弁側の面は平坦な面である、請求項１〜請求項４のいずれか１項に記載の循環アダプタ。
【請求項６】
前記第１の逆止弁に対して湯水の吸込側に位置し、かつ前記第１の逆止弁を支持する弁支持部をさらに備え、
前記弁支持部の前記第１の逆止弁側の面は段差を有している、請求項１〜請求項４のいずれか１項に記載の循環アダプタ。
【請求項７】
前記第２の逆止弁に対して湯水の吐出側に位置し、かつ湯水の吐出時に前記第２の逆止弁に当接する弁当接部をさらに備え、
前記弁当接部の前記第２の逆止弁側の面は傾斜面である、請求項１〜請求項６のいずれか１項に記載の循環アダプタ。
【請求項８】
請求項１〜請求項７のいずれか１項に記載の前記循環アダプタと、
追い焚き用熱交換器を有する前記給湯装置と、
前記循環アダプタに接続された前記往き配管および前記戻り配管を有し、かつ前記浴槽の湯水を前記浴槽と前記給湯装置の前記追い焚き用熱交換器との間で循環させることが可能な湯水循環路とを備えた、風呂追い焚き装置。
【発明の詳細な説明】
【技術分野】
【０００１】
本発明は、循環アダプタおよび風呂追い焚き装置に関し、特に、追い焚き機能を有する給湯装置に接続された往き配管および戻り配管の各々と接続されて、浴槽内に湯水を循環させるための循環アダプタおよびそれを備えた風呂追い焚き装置に関するものである。
【背景技術】
【０００２】
浴槽に湯水を循環させるための循環アダプタは、たとえば特開２００７−１２０７９３号公報（特許文献１参照）、特開２００９−２８１６０６号公報（特許文献２参照）に記載されている。
【０００３】
特開２００７−１２０７９３号公報には、内部に形状の異なる２種類の逆止弁を２組ずつ内蔵した無極性の循環アダプタが記載されている。
【０００４】
また特開２００９−２８１６０６号公報には、逆止弁としてのシート状弁部材が用いられている。このシート状弁部材はピン挿通孔を有しており、横桟に設けた弁止めピンをこのピン挿通孔に挿通することにより横桟に支持されている。
【先行技術文献】
【特許文献】
【０００５】
【特許文献１】特開２００７−１２０７９３号公報
【特許文献２】特開２００９−２８１６０６号公報
【発明の概要】
【発明が解決しようとする課題】
【０００６】
特開２００７−１２０７９３号公報に記載の循環アダプタにおいては、２種類の逆止弁が用いられており、かつ１種類ごとに２組の逆止弁が用いられている。このため、逆止弁の組み立てに時間がかかるとともに、部品点数も増加するという問題がある。
【０００７】
また特開２００９−２８１６０６号公報に記載の循環アダプタにおいては、ピン挿通孔に弁止めピンが挿通されることによりシート状弁部材が横桟に支持されている。このため、シート状弁部材の可動領域が制限され、通水抵抗が高くなるという問題がある。
【０００８】
本発明は、上記の課題に鑑みてなされたものであり、その目的は、組み立てが容易で、通水抵抗の小さい循環アダプタおよびそれを備えた風呂追い焚き装置を提供することである。
【課題を解決するための手段】
【０００９】
本発明の循環アダプタは、追い焚き機能を有する給湯装置に接続された往き配管および戻り配管の各々と接続されて、浴槽内に湯水を循環させるための循環アダプタであって、仕切部材と、弁体とを備えている。仕切部材は、互いに仕切られた湯水の吸込用開口部と吐出用開口部とを有し、吸込用開口部と吐出用開口部との間に位置する支持部を有している。弁体は、吸込用開口部に配置された第１の逆止弁と、吐出用開口部に配置された第２の逆止弁とを有している。弁体は、第１の逆止弁と第２の逆止弁とが一体に繋がったシート形状を有し、かつ弁体の外形から第１の逆止弁と第２の逆止弁との接合部まで第１の逆止弁と第２の逆止弁との間を延びる切欠き部を有し、かつ切欠き部に支持部が差し込まれることで仕切部材に支持されている。
【００１０】
本発明の循環アダプタによれば、弁体は、第１の逆止弁と第２の逆止弁とが一体に繋がったシート形状を有している。このため、弁体の部品点数が少なく、かつ組み立てが容易となる。
【００１１】
また弁体は、弁体の外形から第１の逆止弁と第２の逆止弁との間を延びる切欠き部を有し、かつ切欠き部に支持部が差し込まれることで仕切部材に支持されている。このように弁体の外形から延びるように切欠きを形成したことにより、弁体の可動領域の制限が少なくなり、通水抵抗が小さくなる。
【００１２】
上記の循環アダプタにおいて、吸込用開口部は、互いに仕切られた第１の吸込用開口と第２の吸込用開口とを含んでいる。吐出用開口部は、互いに仕切られた第１の吐出用開口と第２の吐出用開口とを含んでいる。第１の吸込用開口および第１の吐出用開口が往き配管および戻り配管のいずれか一方の配管に通じており、かつ第２の吸込用開口および第２の吐出用開口が往き配管および戻り配管のいずれか他方の配管に通じている。
【００１３】
このように一方の配管を第１の吸込用開口に通じさせたときには他方の配管を第２の吐出用開口に通じさせることができ、かつ一方の配管を第１の吐出用開口に通じさせたときには他方の配管を第２の吸込用開口に通じさせることができる。これにより循環アダプタを無極性とすることができる。
【００１４】
上記の循環アダプタにおいて、支持部は、第１の支持部分、第２の支持部分、第３の支持部分および第４の支持部分を有している。第１の支持部分は、第１の吸込用開口および第１の吐出用開口の間に位置している。第２の支持部分は、第２の吸込用開口および第２の吐出用開口の間に位置している。第３の支持部分は、第１の吸込用開口および第２の吸込用開口の間に位置している。第４の支持部分は、第１の吐出用開口および第２の吐出用開口の間に位置している。第１の支持部分、第２の支持部分、第３の支持部分および第４の支持部分は、互いに分離して放射状に配置されている。第１の逆止弁は、第１の吸込用開口に配置された第１の逆止弁部分と、第２の吸込用開口に配置された第２の逆止弁部分とを含んでいる。第２の逆止弁は、第１の吐出用開口に配置された第３の逆止弁部分と、第２の吐出用開口に配置された第４の逆止弁部分とを含んでいる。第１の逆止弁部分、第２の逆止弁部分、第３の逆止弁部分および第４の逆止弁部分は、上記放射状の中心において互いに接続されている。
【００１５】
これにより第１〜第４の逆止弁部分を上記放射状の中心で１点で互いに接続することが可能となる。このため、接続部の個数および領域を少なくでき、各逆止弁部分の可動領域を大きく確保することができる。
【００１６】
上記の循環アダプタにおいて、切欠き部は、第１の部分と、第１の部分よりも接合部から離れた位置に配された第２の部分とを有している。第２の部分の幅は第１の部分の幅よりも大きい。
【００１７】
このように第２の部分の幅が第１の部分の幅よりも大きいことにより、第２の部分が支持部に干渉することが防止される。これにより、弁体の可動領域の制限が少なくなり、通水抵抗が小さくなる。
【００１８】
上記の循環アダプタにおいて、第１の逆止弁に対して湯水の吸込側に位置し、かつ第１の逆止弁を支持する弁支持部がさらに備えられている。弁支持部の第１の逆止弁側の面は平坦な面である。
【００１９】
これにより第１の逆止弁の変形範囲を好適に調整することが可能となる。
上記の循環アダプタにおいて、第１の逆止弁に対して湯水の吸込側に位置し、かつ第１の逆止弁を支持する弁支持部がさらに備えられている。弁支持部の第１の逆止弁側の面は段差を有している。
【００２０】
これにより第１の逆止弁の変形範囲を好適に調整することが可能となる。
上記の循環アダプタにおいて、第２の逆止弁に対して湯水の吐出側に位置し、かつ湯水の吐出時に第２の逆止弁に当接する弁当接部がさらに備えられている。弁当接部の第２の逆止弁側の面は傾斜面である。
【００２１】
これにより第２の逆止弁の変形範囲を好適に調整することが可能となる。
本発明の風呂追い焚き装置は、上記の循環アダプタと、前記給湯装置と、湯水循環路とを備えている。給湯装置は、追い焚き用熱交換器を有している。湯水循環路は、循環アダプタに接続された往き配管および戻り配管を有し、かつ浴槽の湯水を浴槽と給湯装置の追い焚き用熱交換器との間で循環させることが可能なように構成されている。
【００２２】
本発明の風呂追い焚き装置によれば、上記の循環アダプタを備えているため、組み立てが容易となり、通水抵抗が小さくなる。
【発明の効果】
【００２３】
以上説明したように本発明によれば、組み立てが容易で、通水抵抗の小さい循環アダプタおよびそれを備えた風呂追い焚き装置を実現することができる。
【図面の簡単な説明】
【００２４】
【図１】本発明の一実施の形態における風呂追い焚き装置の構成を概略的に示す模式図である。
【図２】本発明の一実施の形態における循環アダプタの構成を概略的に示す斜視図である。
【図３】本発明の一実施の形態における循環アダプタの構成を概略的に示す分解斜視図である。
【図４】本発明の一実施の形態における循環アダプタに用いられる仕切具の構成を概略的に示す分解斜視図である。
【図５】図４の仕切具の弁体とリア部材との構成を概略的に示す正面図である。
【図６】図４の仕切具の弁体とフロント部材との構成を後方から概略的に示す分解斜視図である。
【図７】図２のＶＩＩ−ＶＩＩ線に沿う概略断面図である。
【図８】図２のＶＩＩＩ−ＶＩＩＩ線に沿う概略断面図である。
【図９】図４に示す仕切具のリア部材の構成を概略的に示す斜視図である。
【図１０】図４に示す仕切具のリア部材の構成の変形例を概略的に示す斜視図である。
【発明を実施するための形態】
【００２５】
以下、本発明の実施の形態について図に基づいて説明する。
図１に示されるように、風呂追い焚き装置Ｓは、給湯装置ＷＨと、循環アダプタ２０とを有している。給湯装置ＷＨは浴室外に設置されている。この給湯装置ＷＨの構成については後述する。循環アダプタ２０は浴槽３０の壁部に取り付けられている。なお、図１においては、循環アダプタ２０は模式的に示されている。
【００２６】
循環アダプタ２０は、浴槽３０内に湯水を循環させるためのものである。この循環アダプタ２０は配管６５ａ、６５ｂに接続されており、配管６５ａ、６５ｂは給湯装置ＷＨに接続されている。配管６５ａおよび配管６５ｂは往き配管および戻り配管を切り替え可能に構成されている。このため、循環アダプタ２０はいわゆる無極性タイプである。
【００２７】
次に、本実施の形態における循環アダプタの構成について図２および図３を用いて説明する。
【００２８】
図２および図３に示されるように、循環アダプタ２０は、カバーフィルタ２１と、仕切具１０と、内部締結体２２と、外部配管連結体２３とを主に有している。
【００２９】
カバーフィルタ２１は、前面部２１ａと、周縁部２１ｃとを有している。前面部２１ａには、複数個の小孔２１ｂが形成されている。複数の小孔２１ｂは、浴槽３０内の湯水を循環アダプタ２０内に吸い込むための部分である。周縁部２１ｃは、前面部２１ａの周縁に沿って全周に亘って形成されている。周縁部２１ｃは前面部２１ａに対して後方側に突き出すように形成されている。この周縁部２１ｃには、開口部２１ｄが形成されている。この開口部２１ｄは、浴槽３０内に湯水を吐出するための部分である。この周縁部２１ｃが仕切具１０の外周面に嵌め込まれることにより、カバーフィルタ２１が仕切具１０に取り付けられている。
【００３０】
仕切具１０は内部締結体２２に取り付けられている。内部締結体２２は、フランジ部２２ａと、円筒部２２ｂとを有している。フランジ部２２ａは、円筒部２２ｂの前端に形成されており、円筒部２２ｂの全周において外周側に張り出している。フランジ部２２ａおよび円筒部２２ｂを貫通するように貫通孔２２ｃが形成されている。円筒部２２ｂの外周面にはネジ溝が形成されている。
【００３１】
内部締結体２２は、外部配管連結体２３にシールリング２４（図７、図８）を介在して取り付けられている。外部配管連結体２３は、フランジ部２３ａと、円筒部２３ｂと、１対の接続部２３ｄ、２３ｅとを有している。
【００３２】
フランジ部２３ａは、円筒部２３ｂの前端に形成されており、円筒部２３ｂの全周において外周側に張り出している。フランジ部２３ａおよび円筒部２３ｂを貫通するように貫通孔２３ｃが形成されている。貫通孔２３ｃは１対の接続部２３ｄ、２３ｅに通じている。
【００３３】
円筒部２３ｂの内周面にはネジ溝が形成されている。内部締結体２２における円筒部２２ｂのネジ溝が外部配管連結体２３における円筒部２３ｂのネジ溝に螺合されることにより、内部締結体２２は外部配管連結体２３に取り付けられている。
【００３４】
この循環アダプタ２０を浴槽３０の壁部に取り付ける際には、カバーフィルタ２１、仕切具１０および内部締結体２２が浴槽３０の内部に配置され、外部配管連結体２３が浴槽３０の外部に配置される。内部締結体２２の円筒部２２ｂが、浴槽３０の貫通孔３０ａを通して外部配管連結体２３の円筒部２３ｂに上記のとおり螺合される。これにより内部締結体２２と外部配管連結体２３との間に浴槽３０の壁部が挟まれて、循環アダプタ２０が浴槽３０の壁部に取り付けられる。
【００３５】
次に、本実施の形態における循環アダプタに用いられる仕切具１０の構成について図４〜図８を用いて説明する。
【００３６】
図４に示されるように、仕切具１０は、フロント部材１１と、弁体１２と、リア部材（仕切部材）１３とを主に有している。フロント部材１１は、前板部１１ａと、周縁部１１ｄとを有している。
【００３７】
前板部１１ａには、区切り部１１ｂと、複数の吸込口１１ｃとが形成されている。区切り部１１ｂは、複数の吸込口１１ｃを互いに区切っている。複数の吸込口１１ｃの各々は、カバーフィルタ２１の複数の小孔２１ｂから吸い込まれた浴槽３０内の湯水を通して、外部配管連結体２３（図３）側へ導くためのものである。
【００３８】
周縁部１１ｄは、前板部１１ａの周縁に沿って形成されている。周縁部１１ｄは前板部１１ａに対して後方側に突き出すように形成されている。この周縁部１１ｄには、複数の爪部１１ｅが形成されている。
【００３９】
弁体１２は、第１の逆止弁１２ａａ、１２ａａと、第２の逆止弁１２ａｂ、１２ａｂとを有している。第１の逆止弁１２ａａ、１２ａａは、第１の逆止弁部分１２ａａと、第２の逆止弁部分１２ａａとを含んでいる。第２の逆止弁１２ａｂ、１２ａｂは、第３の逆止弁部分１２ａｂと、第４の逆止弁部分１２ａｂとを含んでいる。
【００４０】
弁体１２は、第１の逆止弁１２ａａ、１２ａａと第２の逆止弁１２ａｂ、１２ａｂとが一体に繋がったシート形状を有している。具体的には、第１〜第４の逆止弁部分１２ａａ、１２ａａ、１２ａｂ、１２ａｂの各々が互いに接合部１２ｃの１箇所で接続されて一体に繋がったシート形状を有している。
【００４１】
弁体１２は、弁体１２の外形から第１の逆止弁１２ａａ、１２ａａと第２の逆止弁１２ａｂ、１２ａｂとの接合部１２ｃまで、第１の逆止弁１２ａａ、１２ａａと第２の逆止弁１２ａｂ、１２ａｂとの間を延びる切欠き部１２ｂを有している。具体的には弁体１２は、第１の逆止弁部分１２ａａと第３の逆止弁部分１２ａｂとの間を延びる切欠き部１２ｂと、第２の逆止弁部分１２ａａと第４の逆止弁部分１２ａｂとの間を延びる切欠き部１２ｂとを有している。また弁体１２は、第１の逆止弁部分１２ａａと第２の逆止弁部分１２ａａとの間を延びる切欠き部１２ｂと、第３の逆止弁部分１２ａｂと第４の逆止弁部分１２ａｂとの間を延びる切欠き部１２ｂとを有している。
【００４２】
４つの切欠き部１２ｂは、放射状（たとえば十字状）を構成するように配置されている。４つの切欠き部１２ｂは、放射状（たとえば十字状）の中心において互いに分離して配置されている。つまり放射状（たとえば十字状）の中心には４つの切欠き部１２ｂのいずれも形成されていない。このため、第１〜第４の逆止弁部分１２ａａ、１２ａａ、１２ａｂ、１２ａｂの各々が放射状（たとえば十字状）の中心に位置する接合部１２ｃにて互いに接続されている。
【００４３】
リア部材１３は、支持部１３ａと、背板部１３ｃと、周縁部１３ｄと、管状部１３ｈとを有している。背板部１３ｃは管状部１３ｈの前端に形成されており、管状部１３ｈの全周において外周側に張り出している。
【００４４】
背板部１３ｃには、吸込用開口部１３ｅ１、１３ｅ２と、吐出用開口部１３ｅ３、１３ｅ４とが形成されている。吸込用開口部１３ｅ１、１３ｅ２は、第１の吸込用開口１３ｅ１と第２の吸込用開口１３ｅ２とを含んでいる。吐出用開口部１３ｅ３、１３ｅ４は、第１の吐出用開口１３ｅ３と第２の吐出用開口１３ｅ４とを含んでいる。
【００４５】
背板部１３ｃおよび管状部１３ｈの双方を貫通するように貫通孔１３ｅＡ（図７）が形成されている。第１の吸込用開口１３ｅ１および第１の吐出用開口１３ｅ３は、この貫通孔１３ｅＡに通じている。
【００４６】
背板部１３ｃのみを貫通し、管状部１３ｈを貫通しない貫通孔１３ｅＢ（図８）が形成されている。第２の吸込用開口１３ｅ２および第２の吐出用開口１３ｅ４は、この貫通孔１３ｅＢに通じている。第２の吸込用開口１３ｅ２および第２の吐出用開口１３ｅ４は、第１の吸込用開口１３ｅ１および第１の吐出用開口１３ｅ３と仕切られている。
【００４７】
支持部１３ａは、背板部１３ｃに取り付けられている。支持部１３ａは、背板部１３ｃから前方に突き出している。この支持部１３ａは、弁体１２をリア部材１３に支持するための部分である。
【００４８】
支持部１３ａは、たとえば第１〜第４の支持部分を有している。第１の支持部分１３ａは、第１の吸込用開口１３ｅ１および第１の吐出用開口１３ｅ３の間に位置している。第２の支持部分１３ａは、第２の吸込用開口１３ｅ２および第２の吐出用開口１３ｅ４の間に位置している。第３の支持部分１３ａは、第１の吸込用開口１３ｅ１および第２の吸込用開口１３ｅ２の間に位置している。第４の支持部分１３ａは、第１の吐出用開口１３ｅ３および第２の吐出用開口１３ｅ４の間に位置している。
【００４９】
第１〜第４の支持部分１３ａは、放射状（たとえば十字状）を構成するように配置されている。第１〜第４の支持部分１３ａは、放射状（たとえば十字状）の中心部１３ｂにおいて互いに分離して配置されている。つまり放射状（たとえば十字状）の中心部１３ｂには第１〜第４の支持部分１３ａのいずれも形成されていない。
【００５０】
周縁部１３ｄは、背板部１３ｃの周縁に沿って全周に亘って形成されている。周縁部１３ｄは背板部１３ｃに対して前方側に突き出すように形成されている。この周縁部１３ｄには、吐出口１３ｆが形成されている。この吐出口１３ｆは、浴槽３０内に湯水を吐出するための部分である。
【００５１】
また周縁部１３ｄの内周面には、爪係合部１３ｇが形成されている。この爪係合部１３ｇは、フロント部材１１の爪部１１ｅと係合する部分である。リア部材１３の爪係合部１３ｇがフロント部材１１の爪部１１ｅと係合することにより、フロント部材１１はリア部材１３に取り付けられている。
【００５２】
図５に示されるように、弁体１２の切欠き部１２ｂにリア部材１３の支持部１３ａが差し込まれることにより、弁体１２はリア部材１３に支持されている。ここで弁体１２の切欠き部１２ｂは、接合部１２ｃの近くに配置された第１の部分１２ｂ１と、第１の部分１２ｂ１よりも接合部１２ｃから離れて配置された第２の部分１２ｂ２とを有している。第２の部分１２ｂ２の幅Ｗ２は第１の部分１２ｂ１の幅Ｗ１よりも大きい。
【００５３】
このため第１の部分１２ｂ１において、弁体１２が支持部１３ａの両側に密着して挟み込んでいる。一方、第２の部分１２ｂ２において、支持部１３ａと弁体１２との間には隙間があって、支持部１３ａと弁体１２とは密着していない。このように第１の部分１２ｂ１において弁体１２が支持部１３ａの両側に密着して挟み込むことによって、弁体１２はリア部材１３に支持されている。
【００５４】
弁体１２がリア部材１３に取り付けられた状態において、弁体１２の第１の逆止弁１２ａａ、１２ａａは吸込用開口部１３ｅ１、１３ｅ２（図４）に配置されている。また弁体１２の第２の逆止弁１２ａｂ、１２ａｂは吐出用開口部１３ｅ３、１３ｅ４（図４）に配置されている。
【００５５】
図４に示されるように、第１の逆止弁部分１２ａａは第１の吸込用開口１３ｅ１に配置されており、第２の逆止弁部分１２ａａは第２の吸込用開口１３ｅ２に配置されている。また第３の逆止弁部分１２ａｂは第１の吐出用開口１３ｅ３に配置されており、第４の逆止弁部分１２ａｂは第２の吐出用開口１３ｅ４に配置されている。
【００５６】
図５に示されるように、第１の逆止弁部分１２ａａの平面形状（図５に示すように背板部１３ｃを前方側から後方側に見たときの形状）は第１の吸込用開口１３ｅ１の平面形状よりも小さい。また第２の逆止弁部分１２ａａの平面形状は第２の吸込用開口１３ｅ２の平面形状よりも小さい。
【００５７】
また第３の逆止弁部分１２ａｂの平面形状は第１の吐出用開口１３ｅ３の平面形状よりも大きい。また第４の逆止弁部分１２ａｂの平面形状は第２の吐出用開口１３ｅ４の平面形状よりも大きい。
【００５８】
第３および第４の逆止弁部分１２ａｂの各々は、端部１２ａｂ１と、弁部１２ａｂ２とを有している。弁部１２ａｂ２は、接合部１２ｃに接続された部分であり、第１または第２の吐出用開口１３ｅ３、１３ｅ４の真上を覆う部分である。端部１２ａｂ１は、図５中にてハッチングで示した部分であり、弁部１２ａｂ２に対して接合部１２ｃとは反対側に位置する部分である。この端部１２ａｂ１は、背板部１３ｃの保持面１３ｃ１（図４）の真上を覆う部分である。
【００５９】
図６に示されるように、フロント部材１１における前板部１１ａの後面には、複数の弁当接部１１ｇが形成されている。複数の弁当接部１１ｇの各々は、前板部１１ａの後面から後方に突き出している。また複数の弁当接部１１ｇの各々は、前板部１１ａの中央部から外周部に向かうにつれて高さＨが低くなる傾斜を構成している。このため複数の弁当接部１１ｇの各々における弁体１２側の面は傾斜面となっている。この複数の弁当接部１１ｇの各々に弁体１２の第３の逆止弁部分１２ａｂと第４の逆止弁部分１２ａｂとが対向している。
【００６０】
第３の逆止弁部分１２ａｂと第４の逆止弁部分１２ａｂとの各々がフロント部材１１側へ変形した場合には、複数の弁当接部１１ｇの傾斜面に当接可能である。この弁当接部１１ｇにより、第３の逆止弁部分１２ａｂと第４の逆止弁部分１２ａｂとの各々の変形範囲を好適に制限することが可能である。
【００６１】
図９（Ａ）に示されるように、リア部材１３は弁支持部１３ｉを有している。この弁支持部１３ｉは、第１の逆止弁１２ａａをリア側（リア部材１３側）から支持するように、第１および第２の吸込用開口１３ｅ１、１３ｅ２の各々を跨ぐように形成されている。
【００６２】
図９（Ｂ）に示すように、この弁支持部１３ｉの第１の逆止弁１２ａａ側の面１３ｉａは平坦な面である。この弁支持部１３ｉがあることにより、図９（Ｃ）に示されるように、第１の逆止弁１２ａａのリア側への変形量が制限されており、第１の逆止弁１２ａａの変形範囲を好適に調整することが可能である。
【００６３】
また図１０（Ａ）および（Ｂ）に示されるように、弁支持部１３ｉの第１の逆止弁１２ａａ側の面１３ｉａは、凹面１３ｉ１と凸面１３ｉ２とを有しており、凹面１３ｉ１と凸面１３ｉ２との間に段差を有していてもよい。この構成においては、凹面１３ｉ１は凸面１３ｉ２よりもリア側に退行している。凸面１３ｉ２は弁体１２の接合部１２ｃの近くに位置しており、凹面１３ｉ１は凸面１３ｉ２よりも接合部１２ｃから離れた位置に配されている。
【００６４】
このように接合部１２ｃから離れた弁支持部１３ｉの部分が凹面１３ｉ１となっていることにより、図９（Ａ）〜（Ｃ）に示した構成と比較して、図１０（Ｃ）に示されるように第１の逆止弁１２ａａのリア側への変形範囲が拡大される。これにより、第１の逆止弁１２ａａの変形範囲を好適に調整することが可能となる。
【００６５】
次に、本実施の形態における循環アダプタを用いた風呂追い焚き装置Ｓの構成および動作について図１を用いて説明する。
【００６６】
給湯装置ＷＨは、カラン６９などへの一般給湯機能、浴槽３０への自動湯張り機能、および風呂追い焚き機能を有している。
【００６７】
給湯装置ＷＨは、バーナ５０ａ、５０ｂと、ファン５１と、熱交換器５２ａ、５２ｂと、制御部Ｃとを有している。バーナ５０ａおよび熱交換器５２ａは一般給湯用である。一般給湯動作においては、入水口６０ａに供給された水が、配管部６０を介して熱交換器５２ａに供給されて加熱された後に、配管部６１、６２を介してカラン６９などに供給される。
【００６８】
バーナ５０ｂおよび熱交換器５２ｂは風呂追い焚き用である。この熱交換器５２ｂには、風呂追い焚き動作に利用される湯水循環路６５が接続されている。この湯水循環路６５は、配管６５ａ、配管６５ｂ、および配管部６５ｃを有している。配管部６５ｃの途中に熱交換器５２ｂが接続され、配管部６５ｃの一端に配管６５ａが接続され、配管部６５ｃの他端に配管６５ｂが接続されている。配管部６５ｃには、熱交換器５２ｂに加え、循環ポンプＰ、水位センサＳａ、開閉バルブＶ２、水流センサＳｂ、温度センサＳｃなどが設けられている。
【００６９】
また配管部６１と配管部６５ｃとの間には配管部６４が接続されている。この配管部６４には、開閉弁Ｖ１、逆止弁などが設けられている。
【００７０】
上記配管６５ａおよび６５ｂが本実施の形態の循環アダプタ２０に接続されている。この接続において、配管６５ａが循環アダプタ２０の接続部２３ｅに接続され、かつ配管６５ｂが循環アダプタ２０の接続部２３ｄに接続されてもよい。また配管６５ａが循環アダプタ２０の接続部２３ｄに接続され、かつ配管６５ｂが循環アダプタ２０の接続部２３ｅに接続されてもよい。本実施の形態においては、配管６５ａが循環アダプタ２０の接続部２３ｅに接続され、かつ配管６５ｂが循環アダプタ２０の接続部２３ｄに接続された場合について説明する。
【００７１】
風呂追い焚き動作においては、循環ポンプＰが駆動され、浴槽３０の湯水が矢印Ｎ１〜Ｎ６で示すように流通される。具体的には、浴槽３０の湯水は、配管（戻り配管）６５ｂを経由して熱交換器５２ｂに送り込まれる。この熱交換器５２ｂによって加熱された湯水は配管（往き配管）６５ａを経由して浴槽３０に送られる。
【００７２】
浴槽３０への湯張り動作においては、開閉弁Ｖ１が開状態とされて、配管部６１から配管部６４に加熱湯水が流れ、この加熱湯水が循環アダプタ２０に供給される。浴槽３０への湯水落とし込み方式としては、いわゆる両搬送方式と、片搬送方式との２通りがある。
【００７３】
両搬送方式では、浴槽３０への湯水供給経路として、配管６５ａおよび配管６５ｂの双方が利用され、湯水落とし込み流量を多くすることが可能である。この場合には、循環アダプタ２０の２つの開口部２１ｄの双方から浴槽３０への湯水吐出がなされる。
【００７４】
片搬送方式では、開閉バルブＶ２を閉状態として、配管６５ａのみから浴槽３０への湯水供給がなされる。この片搬送方式の実行時には、水位センサＳａを利用して水圧を検出することにより、浴槽３０の水位を判断することが可能である。
【００７５】
次に、本実施の形態における循環アダプタの動作について図７および図８を用いて説明する。なお図７および図８においては、カバーフィルタ２１の図示は省略されている。
【００７６】
図１に示されるように往き配管となる配管６５ａに循環アダプタ２０の接続部２３ｅが接続され、かつ戻り配管となる配管６５ｂに循環アダプタ２０の接続部２３ｄが接続されたと仮定する。この場合、図８に示されるように、配管６５ａに接続された循環アダプタ２０の接続部２３ｅからリア部材１３の貫通孔１３ｅＢへ矢印Ｄ２で示す往き側に湯水が流れる。また図７に示されるように、配管６５ｂに接続された循環アダプタ２０の接続部２３ｄに向かってリア部材１３の貫通孔１３ｅＡから矢印Ｓ１で示す戻り側に湯水が流れる。
【００７７】
この際、図８に示されるように、第２の吐出用開口１３ｅ４に配置された第４の逆止弁部分１２ａｂの自由端は湯水に押されて、図中破線で示すようにフロント部材１１側へ変形する。変形した第４の逆止弁部分１２ａｂの自由端は、フロント部材１１の弁当接部１１ｇの傾斜面に押し当てられて当接する。これにより第２の吐出用開口１３ｅ４が開いて、第２の吐出用開口１３ｅ４からリア部材１３の吐出口１３ｆおよびカバーフィルタ２１の開口部２１ｄを通じて浴槽３０へ湯水が供給される。
【００７８】
この時、図８に示されるように、第２の吸込用開口１３ｅ２に配置された第２の逆止弁部分１２ａａのフロント部材１１側には区切り部１１ｂが配置されている。このため、第１の逆止弁部分１２ａａは湯水に押されてフロント部材１１側へ変形することを区切り部１１ｂにより妨げられる。よって、第１の逆止弁部分１２ａａは第１の吸込用開口１３ｅ１を閉じた状態ｄｅ維持し、湯水が第１の吸込用開口１３ｅ１を通じて浴槽３０側へ流れることが防止される。
【００７９】
また図７に示されるように、第１の吸込用開口１３ｅ１に配置された第１の逆止弁部分１２ａａの自由端は湯水に押されて、図中破線で示すようにリア部材１３側へ変形する。これにより第１の吸込用開口１３ｅ１が開いて、浴槽３０側からカバーフィルタ２１の複数個の小孔２１ｂと第１の吸込用開口１３ｅ１とを通じて貫通孔１３ｅＡへ湯水が吸い込まれる。
【００８０】
この時、図７に示されるように、第１の吐出用開口１３ｅ３に配置された第３の逆止弁部分１２ａｂのリア部材１３側にはリア部材１３の保持面１３ｃ１が配置されている。このため、第３の逆止弁部分１２ａｂは湯水に押されてリア部材１３側へ変形することを保持面１３ｃ１により妨げられる。よって、第３の逆止弁部分１２ａｂは第１の吐出用開口１３ｅ３を閉じた状態で維持し、湯水が第１の吐出用開口１３ｅ３を通じて浴槽３０側から貫通孔１３ｅＡへ流れることが防止される。
【００８１】
一方、図１において往き配管となる配管６５ａに循環アダプタ２０の接続部２３ｄが接続され、かつ戻り配管となる配管６５ｂに循環アダプタ２０の接続部２３ｅが接続されたと仮定する。この場合には、図８に示されるように配管６５ｂに接続された循環アダプタ２０の接続部２３ｅに向かってリア部材１３の貫通孔１３ｅＢから矢印Ｓ２で示す戻り側に湯水が流れる。また図７に示されるように、配管６５ａに接続された循環アダプタ２０の接続部２３ｄからリア部材１３の貫通孔１３ｅＡへ矢印Ｄ１で示す往き側に湯水が流れる。
【００８２】
この際、図８に示されるように、第２の吸込用開口１３ｅ２に配置された第２の逆止弁部分１２ａａの自由端は湯水に押されて、図中破線で示すようにリア部材１３側へ変形する。これにより第２の吸込用開口１３ｅ２が開いて、浴槽３０側からカバーフィルタ２１の複数個の小孔２１ｂと第２の吸込用開口１３ｅ２とを通じて貫通孔１３ｅＢへ湯水が吸い込まれる。
【００８３】
この時、図８に示されるように、第２の吐出用開口１３ｅ４に配置された第４の逆止弁部分１２ａｂのリア部材１３側にはリア部材１３の保持面１３ｃ１が配置されている。このため、第４の逆止弁部分１２ａｂは湯水に押されてリア部材１３側へ変形することを保持面１３ｃ１により妨げられる。よって、第４の逆止弁部分１２ａｂは第２の吐出用開口１３ｅ４を閉じた状態で維持し、湯水が第２の吐出用開口１３ｅ４を通じて浴槽３０側から貫通孔１３ｅＢへ流れることが防止される。
【００８４】
また図７に示されるように、第１の吐出用開口１３ｅ３に配置された第３の逆止弁部分１２ａｂの自由端は湯水に押されて、図中破線で示すようにフロント部材１１側へ変形する。変形した第３の逆止弁部分１２ａｂの自由端は、フロント部材１１の弁当接部１１ｇの傾斜面に押し当てられて当接する。これにより第１の吐出用開口１３ｅ３が開いて、第１の吐出用開口１３ｅ３からリア部材１３の吐出口１３ｆおよびカバーフィルタ２１の開口部２１ｄを通じて浴槽３０へ湯水が供給される。
【００８５】
この時、図７に示されるように、第１の吸込用開口１３ｅ１に配置された第１の逆止弁部分１２ａａのフロント部材１１側には区切り部１１ｂが配置されている。このため、第１の逆止弁部分１２ａａは湯水に押されてフロント部材１１側へ変形することを区切り部１１ｂにより妨げられる。よって、第１の逆止弁部分１２ａａは第１の吸込用開口１３ｅ１を閉じた状態で維持し、湯水が第１の吸込用開口１３ｅ１を通じて浴槽３０側へ流れることが防止される。
【００８６】
次に、本実施の形態の作用効果について説明する。
本実施の形態の循環アダプタ２０によれば、図４、図５などに示すように弁体１２は、第１の逆止弁１２ａａ、１２ａａと第２の逆止弁１２ａｂ、１２ａｂとが一体に繋がったシート形状を有している。このため、吸込用開口部１３ｅ１、１３ｅ２および吐出用開口部１３ｅ３、１３ｅ４ごとに別体の弁体を準備する必要がない。よって本実施の形態によれば、弁体１２の部品点数を少なくすることができ、かつ弁体１２をリア部材１３およびフロント部材１１に組み立てる作業が容易となる。
【００８７】
また弁体１２の切欠き部１２ｂは、弁体１２の外形から接合部１２ｃまで第１の逆止弁１２ａａと第２の逆止弁１２ａｂとの間に延びている。このように弁体１２の外形から延びるように切欠き１２ｂを形成したことにより、弁体１２の可動領域の制限が少なくなり、通水抵抗が小さくなる。
【００８８】
また図４に示されるように、吸込用開口部１３ｅ１、１３ｅ２が第１の吸込用開口１３ｅ１と第２の吸込用開口１３ｅ２とを含み、吐出用開口部１３ｅ３、１３ｅ４が第１の吐出用開口１３ｅ３と第２の吐出用開口１３ｅ４とを含んでいる。第１の吸込用開口１３ｅ１および第１の吐出用開口１３ｅ３が往き配管および戻り配管のいずれか一方の配管に通じており、かつ第２の吸込用開口１３ｅ２および第２の吐出用開口１３ｅ４が往き配管および戻り配管のいずれか他方の配管に通じている。これにより循環アダプタ２０を無極性とすることができる。
【００８９】
また図４に示されるように、第１の逆止弁部分１２ａａ、第２の逆止弁部分１２ａａ、第３の逆止弁部分１２ａｂおよび第４の逆止弁部分１２ａｂは、放射状の中心に位置する接合部１２ｃにおいて互いに接続されている。これにより第１〜第４の逆止弁部分１２ａａ、１２ａｂを上記放射状の中心で１点で互いに接続することが可能となる。このため、接合部１２ｃの個数および領域を少なくでき、各逆止弁部分の可動領域を大きく確保することができる。
【００９０】
また図５に示されるように、切欠き部１２ｂの第１の部分１２ｂ１よりも接合部１２ｃから離れた位置に配された第２の部分１２ｂ２の幅Ｗ２は第１の部分１２ｂ１の幅Ｗ１よりも大きい。これにより、第２の部分１２ｂ２が支持部１３ａに干渉することが防止される。よって、弁体１２の可動領域の制限が少なくなり、通水抵抗が小さくなる。
【００９１】
また図９（Ａ）〜（Ｃ）に示されるように、弁支持部１３ｉの第１の逆止弁１２ａａ側の面１３ｉａは平坦な面であり、この面１３ｉａが第１の逆止弁１２ａａをリア側から支持している。この面１３ｉａにより第１の逆止弁１２ａａのリア側への変形範囲を好適に調整することが可能となる。
【００９２】
また図１０（Ａ）〜（Ｃ）に示されるように、弁支持部１３ｉの第１の逆止弁１２ａａ側の面１３ｉａは、凹面１３ｉ１と凸面１３ｉ２とを有しており、凹面１３ｉ１と凸面１３ｉ２との間に段差を有している。これにより第１の逆止弁１２ａａのリア側への変形範囲を好適に調整することが可能となる。
【００９３】
また図６に示されるように、弁当接部１１ｇの第２の逆止弁１２ａｂ側の面が傾斜面となっている。これにより第２の逆止弁１２ａｂのフロント側への変形範囲を弁当接部１１ｇにより好適に調整することが可能となる。
【００９４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９５】
１０  仕切具、１１  フロント部材、１１ａ  前板部、１１ｂ  区切り部、１１ｃ  吸込口、１１ｄ，１３ｄ，２１ｃ  周縁部、１１ｅ  爪部、１１ｇ  弁当接部、１２  弁体、１２ａａ  第１の逆止弁（第１の逆止弁部分、第２の逆止弁部分）、１２ａｂ  第２の逆止弁（第３の逆止弁部分、第４の逆止弁部分）、１２ａｂ１  端部、１２ａｂ２  弁部、１２ｂ  切欠き部、１２ｂ１  第１の部分、１２ｂ２  第２の部分、１２ｃ  接合部、１３  リア部材、１３ａ  支持部（第１〜第４の支持部分）、１３ｂ  中心部、１３ｃ  背板部、１３ｃ１  保持面、１３ｅ１  第１の吸込用開口、１３ｅ２  第２の吸込用開口、１３ｅ３  第１の吐出用開口、１３ｅ４  第２の吐出用開口、１３ｅＡ，１３ｅＢ，２２ｃ，２３ｃ，３０ａ  貫通孔、１３ｆ  吐出口、１３ｇ  爪係合部、１３ｈ  管状部、１３ｉ  弁支持部、１３ｉ１  凹面、１３ｉ２  凸面、１３ｉａ  面、２０  循環アダプタ、２１  カバーフィルタ、２１ａ  前面部、２１ｂ  小孔、２１ｄ  開口部、２２  内部締結体、２２ａ，２３ａ  フランジ部、２２ｂ，２３ｂ  円筒部、２３  外部配管連結体、２３ｄ，２３ｅ  接続部、２４  シールリング、３０  浴槽、５０ａ，５０ｂ  バーナ、５１  ファン、５２ａ，５２ｂ  熱交換器、６０，６１，６４，６５ｃ  配管部、６０ａ  入水口、６５  湯水循環路、６５ａ，６５ｂ  配管、６９  カラン、Ｃ  制御部、Ｐ  循環ポンプ、Ｓ  風呂追い焚き装置、Ｓａ  水位センサ、Ｓｂ  水流センサ、Ｓｃ  温度センサ、Ｖ１  開閉弁、Ｖ２  開閉バルブ、ＷＨ  給湯装置。
【図１】
0006492633.tif 000002
【図２】
0006492633.tif 000003
【図３】
0006492633.tif 000004
【図４】
0006492633.tif 000005
【図５】
0006492633.tif 000006
【図６】
0006492633.tif 000007
【図７】
0006492633.tif 000008
【図８】
0006492633.tif 000009
【図９】
0006492633.tif 000010
【図１０】
0006492633.tif 000011